【手続補正書】
【提出日】平成29年11月14日(2017.11.14)
【手続補正１】
【補正対象書類名】特許請求の範囲
【補正対象項目名】全文
【補正方法】変更
【補正の内容】
【特許請求の範囲】
【請求項１】
流体圧力を表す第１の信号を生成する第１の流体圧力センサを有するガイドワイヤであって、前記第１の流体圧力センサが血管内で第１の患部の遠位側にあるように、患者の血管に配置されるガイドワイヤと、
流体圧力を表す第２の信号を生成する第２の流体圧力センサを有するセンサ送り装置であって、前記第２の流体圧力センサが、前記第１の患部の近位側にあり、かつ血管内で第２の患部の遠位側にあるように、前記ガイドワイヤ上で摺動可能に位置決め可能であるように構成されるセンサ送り装置と、
プロセッサであって、前記第１の信号及び前記第２の信号を受信し、前記第２の信号と前記第２の患部の近位側に配置された第３の流体圧力センサによって生成された第３の信号とに対する前記第１の信号の比較に基づいて前記第１の患部及び前記第２の患部の少なくとも一つの評価を提供するように構成され、前記第１、２、３の信号が実質的に同時に生成される、プロセッサと、
を備えることを特徴とするシステム。
【請求項２】
前記ガイドワイヤによって保持される前記第１の流体圧力センサは前記ガイドワイヤの遠位端にある一体型センサである、ことを特徴とする請求項１に記載にシステム。
【請求項３】
前記センサ送り装置は遠位側スリーブおよび近位部を備え、前記遠位側スリーブは、前記ガイドワイヤ上で摺動し、および前記ガイドワイヤを受けるためのガイドワイヤ内腔を有する、ことを特徴とする請求項１に記載にシステム。
【請求項４】
前記センサ送り装置の前記第２の流体圧力センサは前記遠位側スリーブおよび前記近位部のうちの一方に配置される、ことを特徴とする請求項３に記載にシステム。
【請求項５】
前記センサ送り装置の前記近位部は、前記遠位側スリーブから近位側に延びる主要部と、該主要部から遠位側に延びる遠位側転移部とを備え、該遠位側転移部は前記遠位側スリーブの外面に固定されて一体化され、前記近位部は前記送り装置の前記第２の流体圧力センサから前記患者の外部の位置に前記第２の信号を伝達するための通信チャネルを備え、前記近位部は前記患者の血管内において前記第２の流体圧力センサの位置決めを促進するように構成されている、ことを特徴とする請求項３に記載にシステム。
【請求項６】
前記第１の患部及び前記第２の患部の少なくとも一つの評価は血流予備量比（ＦＦＲ）である、ことを特徴とする請求項１に記載にシステム。
【請求項７】
前記第２の流体圧力センサによって生成された前記第２の信号に対して前記第１の流体圧力センサによって生成された前記第１の信号を比較することは、前記第２の信号に対して前記第１の信号の比率を判定することである、ことを特徴とする請求項１に記載にシステム。
【請求項８】
前記第３の流体圧力センサは前記患者の体の外部に位置する流体注入システムの血行動態圧力トランデューサである、ことを特徴とする請求項１に記載にシステム。
【請求項９】
前記流体注入システムと前記第２の患部の近位側の前記患者との間で流体伝達をもたらすように構成された流体管をさらに備える、ことを特徴とする請求項８に記載にシステム。
【請求項１０】
前記第２の信号と前記第３の信号とに対して前記第１の信号を比較することは、前記第１の患部及び前記第２の患部の少なくとも一つの特性を判定することである、ことを特徴とする請求項１に記載にシステム。
【請求項１１】
前記第１の患部及び前記第２の患部の少なくとも一つの前記特性はそれぞれ血流予備量比（ＦＦＲ）である、ことを特徴とする請求項１０に記載にシステム。
【請求項１２】
遠位部および該遠位部の反対の第１の近位部を有するガイドワイヤであって、前記遠位部に一体化された第１の流体圧力センサを有し、前記第１の流体圧力センサが血管内で第１の患部の遠位側にあるように患者の血管内に配置され、前記第１の流体圧力センサが流体圧力を表す第１の信号を生成するガイドワイヤと、
流体圧力を表す第２の信号を生成する第２の流体圧力センサ、遠位側スリーブ、および第２の近位部を有するセンサ送り装置であって、前記遠位側スリーブは前記ガイドワイヤを摺動可能に受けるように構成され、前記第２の流体圧力センサが、前記第１の患部の近位側にあり、かつ血管内で第２の患部の遠位側にあるように、配置されるセンサ送り装置と、
を備えることを特徴とするシステム。
【請求項１３】
前記第２の流体圧力センサは前記遠位側スリーブおよび前記センサ送り装置の前記第２の近位部のうちの一方に配置されている、ことを特徴とする請求項１２に記載にシステム。
【請求項１４】
前記センサ送り装置の前記近位部は、前記遠位側スリーブから近位側に延びる主要部と、該主要部から遠位側に延びる遠位側転移部とを備え、前記遠位側転移部は前記遠位側スリーブの外面に固定されて一体化され、前記第２の近位部は前記第２の流体圧力センサから患者の外部の位置に前記第２の信号を伝達するための通信チャネルを備え、前記第２の近位部は前記患者の前記血管内において前記第２の流体圧力センサの位置決めを促進するように構成されている、ことを特徴とする請求項１２に記載にシステム。
【請求項１５】
前記第１の流体圧力センサおよび前記第２の流体圧力センサの各々はプロセッサと通信状態にあり、
該プロセッサは、前記第１の信号及び前記第２の信号を受信し、前記第２の信号と前記第２の患部の近位側に配置された第３の流体圧力センサによって生成された第３の信号とに対する前記第１の信号の比較に基づいて、前記第１の患部及び前記第２の患部の少なくとも一つの評価を提供するように構成され、前記第１、２、３の信号が実質的に同時に生成される、ことを特徴とする請求項１２に記載にシステム。
【請求項１６】
前記プロセッサは、前記第２の信号に対して前記第１の信号の比率を判定するように構成されている、ことを特徴とする請求項１５に記載にシステム。
【請求項１７】
第１の近位部と、
遠位部および該遠位部と反対の第２の近位部を有するガイドワイヤを摺動可能に受けるように構成された遠位側スリーブであって、前記ガイドワイヤは該ガイドワイヤの前記遠位部に一体化された第１の流体圧力センサを有し、前記ガイドワイヤは前記第１の流体圧力センサが血管内で第１の患部の遠位側にあるように患者の血管内に配置され、前記第１の流体圧力センサが流体圧力を表す第１の信号を生成する、遠位側スリーブと、
流体圧力を表す第２の信号を生成する第２の流体圧力センサであって、前記第２の流体圧力センサが、前記第１の患部の近位側にあり、かつ血管内で第２の患部の遠位側にあるように、前記センサ送り装置が配置される、第２の流体圧力センサと、
を備えることを特徴とするセンサ送り装置。
【請求項１８】
前記第２の流体圧力センサは前記遠位側スリーブおよび前記近位部のうちの一方に配置されている、ことを特徴とする請求項１７に記載のセンサ送り装置。
【請求項１９】
前記第２の近位部は、前記遠位側スリーブから近位側に延びる主要部と、前記主要部から遠位側に延びる遠位側転移部とを備え、前記遠位側転移部は前記遠位側スリーブの外面に固定して一体化され、前記第２の近位部は前記第２の流体圧力センサから患者の外部の位置に前記第２の信号を伝達するための通信チャネルを備え、前記第２の近位部は前記患者の前記血管内において前記第２の流体圧力センサの位置決めを促進するように構成されている、ことを特徴とする請求項１７に記載のセンサ送り装置。
【請求項２０】
前記第１の流体圧力センサおよび前記第２の流体圧力センサの各々はプロセッサと通信状態にあり、
該プロセッサは、前記第１の信号及び前記第２の信号を受信し、前記第２の信号と前記第２の患部の近位側に配置された第３の流体圧力センサによって生成された第３の信号とに対する前記第１の信号の比較に基づいて、前記第１の患部及び前記第２の患部の少なくとも一つの評価を提供するように構成され、前記第１、２、３の信号が実質的に同時に生成される、ことを特徴とする請求項１７に記載のセンサ送り装置。
【請求項２１】
前記プロセッサは、前記第２の信号に対して前記第１の信号の比率を判定するように構成されている、ことを特徴とする請求項２０に記載のセンサ送り装置。